(57)【要約】【課題】  ユーザが飽きることが少なく、同じ曲が重複して再生されることが少ない再生装置を提供する。【解決手段】  メインＣＰＵ３は、操作部２から受けたミックス再生の指示に応じて、ＨＤＤ部４に格納された音楽データ、デジタルラジオ部６に供給された音楽データ、ＭＰ３プレーヤ７に供給された音楽データおよびｉＰｏｄ９に供給された音楽データを再生するようにＨＤＤ部４、デコーダ５、デジタルラジオ部６、ＭＰ３プレーヤ７およびｉＰｏｄ９を制御するとともに、デコーダ５等によって再生された音楽データを所定の順序でパワー部１２へ出力するようにＥ−Ｖｏｌ部１１を制御する。デコーダ５およびデジタルラジオ部６等は、音楽データを再生してＥ−Ｖｏｌ部１１へ出力し、Ｅ−Ｖｏｌ部１１は、所定の順序で音楽データをパワー部１２およびスピーカ１３を介して外部へ出力する。【選択図】        図２
2007026598.tif 000002
【特許請求の範囲】
【請求項１】
自動車に搭載され、所定のコンテンツデータを再生する再生装置であって、
前記自動車の車内において入力された所定のコンテンツデータを格納する記憶媒体と、
前記記憶媒体から読出された所定のコンテンツデータを再生する再生器と、
前記自動車の外部から供給された所定のコンテンツデータを保持するとともに、前記所定のコンテンツデータを再生するメディアユニットと、
前記記憶媒体に格納された所定のコンテンツデータと前記メディアユニットに供給された所定のコンテンツデータとを選択的に再生する第１のモードと、前記記憶媒体に格納された所定のコンテンツデータと前記メディアユニットに供給された所定のコンテンツデータとを混合して再生する第２のモードとを選択して前記所定のコンテンツデータを再生するように前記再生器および／または前記メディアユニットを制御する制御手段とを備える再生装置。
【請求項２】
前記所定のコンテンツデータは、音楽データからなる、請求項１に記載の再生装置。
【請求項３】
前記メディアユニットは、前記音楽データの取得経路が相互に異なる複数のメディアユニットからなる、請求項２に記載の再生装置。
【請求項４】
前記メディアユニットは、
無線通信によって前記音楽データを取得する第１のメディアユニットと、
コンピュータによって前記音楽データを取得する第２のメディアユニットとを含む、請求項３に記載の再生装置。
【請求項５】
前記第１のメディアユニットは、デジタルラジオであり、
前記第２のメディアユニットは、ＨＤＤジュークボックスである、請求項４に記載の再生装置。
【請求項６】
専用インターフェースをさらに備え、
前記第１のメディアユニットは、デジタルラジオであり、
前記第２のメディアユニットは、前記専用インターフェースに接続されるｉＰｏｄである、請求項４に記載の再生装置。
【請求項７】
専用インターフェースをさらに備え、
前記第１のメディアユニットは、デジタルラジオからなり、
前記第２のメディアユニットは、ＭＰ３−ＣＤプレイヤーと、前記専用インターフェースに接続されるｉＰｏｄとからなる、請求項４に記載の再生装置。
【請求項８】
前記制御手段は、前記第１および第２のモードのいずれかのモードで前記音楽データを再生するとき、前記音楽データのジャンル、アルバム名および歌手名により前記記憶媒体に格納された音楽データと、前記第１のメディアユニットおよび第２のメディアユニットに供給された音楽データとの再生範囲を決定し、その決定した再生範囲の音楽データを前記第１および第２のモードのいずれかのモードで再生するように前記再生器および／または前記メディアユニットを制御する、請求項４から請求項７のいずれか１項に記載の再生装置。
【請求項９】
前記制御手段は、前記第２のモードで前記音楽データを再生するとき、前記記憶媒体に格納された音楽データ、前記第１のメディアユニットに供給された音楽データおよび前記第２のメディアユニットに供給された音楽データを任意の順序に従って再生するように前記再生器、前記第１のメディアユニットおよび前記第２のメディアユニットを制御する、請求項８に記載の再生装置。
【請求項１０】
請求項１から請求項９のいずれか１項に記載の再生装置を備える自動車。
【請求項１１】
自動車に搭載され、所定のコンテンツデータを再生する再生装置の動作をコンピュータに実行させるためのプログラムであって、
前記再生装置は、
前記自動車の車内において入力された所定のコンテンツデータを格納する記憶媒体と、
前記記憶媒体から読出された所定のコンテンツデータを再生する再生器と、
前記自動車の外部から供給された所定のコンテンツデータを保持するとともに、前記所定のコンテンツデータを再生するメディアユニットとを備え、
前記プログラムは、
前記記憶媒体に格納された所定のコンテンツデータと前記メディアユニットに供給された所定のコンテンツデータとを選択的に再生する第１のモードと、前記記憶媒体に格納された所定のコンテンツデータと前記メディアユニットに供給された所定のコンテンツデータとを混合して再生する第２のモードとのいずれかを選択する第１のステップと、
前記第１のステップにおいて前記第１のモードが選択されたとき、前記記憶媒体に格納された所定のコンテンツデータまたは前記メディアユニットに供給された所定のコンテンツデータを再生するように前記再生器または前記メディアユニットを制御する第２のステップと、
前記第１のステップにおいて前記第２のモードが選択されたとき、前記記憶媒体に格納された所定のコンテンツデータおよび前記メディアユニットに供給された所定のコンテンツデータを混合して再生するように前記再生器および前記メディアユニットを制御する第３のステップとをコンピュータに実行させるためのプログラム。
【請求項１２】
前記所定のコンテンツデータは、音楽データからなり、
前記再生装置のメディアユニットは、
無線通信によって前記音楽データを取得する第１のメディアユニットと、
コンピュータによって前記音楽データを取得する第２のメディアユニットとを含み、
前記プログラムは、
前記第１および第２のモードのいずれかのモードで前記音楽データを再生するとき、前記音楽データのジャンル、アルバム名および歌手名により前記記憶媒体に格納された音楽データと、前記第１のメディアユニットおよび第２のメディアユニットに供給された音楽データの再生範囲を決定する第４のステップをさらにコンピュータに実行させ、
前記第２のステップは、前記決定された再生範囲の音楽データを再生するように前記再生器または前記メディアユニットを制御し、
前記第３のステップは、前記決定された再生範囲の音楽データを再生するように前記再生器、前記第１のメディアユニットおよび前記第２のメディアユニットを制御する、請求項１１に記載のコンピュータに実行させるためのプログラム。
【請求項１３】
前記第３のステップは、前記記憶媒体に格納された音楽データ、前記第１のメディアユニットに供給された音楽データおよび前記第２のメディアユニットに供給された音楽データを任意の順序に従って再生するように前記再生器、前記第１のメディアユニットおよび前記第２のメディアユニットを制御する、請求項１２に記載のコンピュータに実行させるためのプログラム。
【発明の詳細な説明】
【技術分野】
【０００１】
この発明は、自動車に搭載される再生装置、それを備えた自動車および再生装置の動作をコンピュータに実行させるためのプログラムに関するものである。
【背景技術】
【０００２】
近年、従来のＣＤ（Ｃｏｍｐａｃｔ  Ｄｉｓｋ）およびＭＤ（Ｍｉｎｉ  Ｄｉｓｋ）だけでなく、ＭＰ３（ＭＰＥＧ１  オーディオレイヤー３）およびデジタルラジオ等の様々な音質のデジタルソースを受信および再生可能なオーディオ装置が実用化されており、ユーザは、複数のソースから所望の曲を聴取するようになっている。
【０００３】
そして、デジタルラジオで放送中の曲を聴取しているときに、自分の所持している他のソースに現在放送中の曲よりも音質の良い同じ曲があった場合、そのソースに切替えて同じ曲を再生するオーディオ装置が知られている（特許文献１）。
【０００４】
このオーディオ装置は、デジタルラジオ受信機と、ラジオ受信機と、ＣＤプレーヤと、ＭＤプレーヤと、ＭＰ３プレーヤと、メモリと、オーディオ制御部とを備える。ユーザが所望のソースとしてデジタルラジオで曲名Ａおよびアーティスト名Ｚの音楽データを聴取していたとき、オーディオ制御部は、デジタルラジオ放送局からの放送を受信し、放送に含まれる付加情報を解析し、曲名およびアーティスト名を判別する。
【０００５】
そして、オーディオ制御部は、その判別した曲名およびアーティスト名が一致する曲をラジオ受信機、ＣＤプレーヤ、ＭＤプレーヤおよびＭＰ３プレーヤから検索し、一致する曲があったとき、メモリに記憶してある音質によるソースの優先順位を基にソースの切替を行なう。
【特許文献１】特開２００３−１１０４４８号公報
【発明の開示】
【発明が解決しようとする課題】
【０００６】
しかし、従来のオーディオ装置においては、デジタルラジオ受信機およびＣＤプレーヤ等の複数のソースの各々は、音楽データを独立に再生するため、再生される音楽データに限りがあり、ユーザが飽きるという問題がある。特に、ＣＤプレーヤおよびＭＤプレーヤだけを備えるオーディオ装置においては、再生される音楽データの数が少ないため、ユーザが飽きることも多い。
【０００７】
また、ジャンルを指定して再生する場合、収録の少ないジャンルを指定すると、同じ曲が頻繁に再生されるという問題がある。
【０００８】
そこで、この発明は、かかる問題を解決するためになされたものであり、その目的は、ユーザが飽きることが少なく、同じ曲が重複して再生されることが少ない再生装置を提供することである。
【０００９】
また、この発明の別の目的は、ユーザが飽きることが少なく、同じ曲が重複して再生されることが少ない再生装置を備える自動車を提供することである。
【００１０】
さらに、この発明の別の目的は、ユーザが飽きることが少なく、同じ曲が重複して再生されることが少ない再生装置の動作をコンピュータに実行させるためのプログラムを提供することである。
【課題を解決するための手段】
【００１１】
この発明によれば、再生装置は、自動車に搭載され、所定のコンテンツデータを再生する再生装置であって、記憶媒体と、再生器と、メディアユニットと、制御手段とを備える。記憶媒体は、自動車の車内において入力された所定のコンテンツデータを格納する。再生器は、記憶媒体から読出された所定のコンテンツデータを再生する。メディアユニットは、自動車の外部から供給された所定のコンテンツデータを保持するとともに、所定のコンテンツデータを再生する。制御手段は、記憶媒体に格納された所定のコンテンツデータとメディアユニットに供給された所定のコンテンツデータとを選択的に再生する第１のモードと、記憶媒体に格納された所定のコンテンツデータとメディアユニットに供給された所定のコンテンツデータとを混合して再生する第２のモードとを選択して所定のコンテンツデータを再生するように再生器および／またはメディアユニットを制御する。
【００１２】
好ましくは、所定のコンテンツデータは、音楽データからなる。
【００１３】
好ましくは、メディアユニットは、音楽データの取得経路が相互に異なる複数のメディアユニットからなる。
【００１４】
好ましくは、メディアユニットは、第１および第２のメディアユニットを含む。第１のメディアユニットは、無線通信によって音楽データを取得する。第２のメディアユニットは、コンピュータによって音楽データを取得する。
【００１５】
好ましくは、第１のメディアユニットは、デジタルラジオである。第２のメディアユニットは、ＨＤＤジュークボックスである。
【００１６】
好ましくは、再生装置は、専用インターフェースをさらに備える。そして、第１のメディアユニットは、デジタルラジオであり、第２のメディアユニットは、専用インターフェースに接続されるｉＰｏｄである。
【００１７】
好ましくは、再生装置は、専用インターフェースをさらに備える。そして、第１のメディアユニットは、デジタルラジオからなり、第２のメディアユニットは、ＭＰ３−ＣＤプレイヤーと、専用インターフェースに接続されるｉＰｏｄとからなる。
【００１８】
好ましくは、制御手段は、第１および第２のモードのいずれかのモードで音楽データを再生するとき、音楽データのジャンル、アルバム名および歌手名により記憶媒体に格納された音楽データと、第１のメディアユニットおよび第２のメディアユニットに供給された音楽データとの再生範囲を決定し、その決定した再生範囲の音楽データを第１および第２のモードのいずれかのモードで再生するように再生器および／またはメディアユニットを制御する。
【００１９】
好ましくは、制御手段は、第２のモードで音楽データを再生するとき、記憶媒体に格納された音楽データ、第１のメディアユニットに供給された音楽データおよび第２のメディアユニットに供給された音楽データを任意の順序に従って再生するように再生器、第１のメディアユニットおよび第２のメディアユニットを制御する。
【００２０】
また、この発明によれば、自動車は、請求項１から請求項９のいずれか１項に記載の再生装置を備える自動車である。
【００２１】
さらに、この発明によれば、コンピュータに実行させるためのプログラムは、自動車に搭載され、所定のコンテンツデータを再生する再生装置の動作をコンピュータに実行させるためのプログラムである。再生装置は、記憶媒体と、再生器と、メディアユニットとを備える。記憶媒体は、自動車の車内において入力された所定のコンテンツデータを格納する。再生器は、記憶媒体から読出された所定のコンテンツデータを再生する。メディアユニットは、自動車の外部から供給された所定のコンテンツデータを保持するとともに、所定のコンテンツデータを再生する。
【００２２】
そして、プログラムは、記憶媒体に格納された所定のコンテンツデータとメディアユニットに供給された所定のコンテンツデータとを選択的に再生する第１のモードと、記憶媒体に格納された所定のコンテンツデータとメディアユニットに供給された所定のコンテンツデータとを混合して再生する第２のモードとのいずれかを選択する第１のステップと、第１のステップにおいて第１のモードが選択されたとき、記憶媒体に格納された所定のコンテンツデータまたはメディアユニットに供給された所定のコンテンツデータを再生するように再生器またはメディアユニットを制御する第２のステップと、第１のステップにおいて第２のモードが選択されたとき、記憶媒体に格納された所定のコンテンツデータおよびメディアユニットに供給された所定のコンテンツデータを混合して再生するように再生器およびメディアユニットを制御する第３のステップとをコンピュータに実行させるためのプログラムである。
【００２３】
好ましくは、所定のコンテンツデータは、音楽データからなる。そして、再生装置のメディアユニットは、無線通信によって音楽データを取得する第１のメディアユニットと、コンピュータによって音楽データを取得する第２のメディアユニットとを含む。プログラムは、第１および第２のモードのいずれかのモードで音楽データを再生するとき、音楽データのジャンル、アルバム名および歌手名により記憶媒体に格納された音楽データと、第１のメディアユニットおよび第２のメディアユニットに供給された音楽データの再生範囲を決定する第４のステップをさらにコンピュータに実行させる。第２のステップは、決定された再生範囲の音楽データを再生するように再生器またはメディアユニットを制御し、第３のステップは、決定された再生範囲の音楽データを再生するように再生器、第１のメディアユニットおよび第２のメディアユニットを制御する。
【００２４】
好ましくは、第３のステップは、記憶媒体に格納された音楽データ、第１のメディアユニットに供給された音楽データおよび第２のメディアユニットに供給された音楽データを任意の順序に従って再生するように再生器、第１のメディアユニットおよび第２のメディアユニットを制御する。
【発明の効果】
【００２５】
この発明においては、所定のコンテンツデータが複数のメディアユニットを用いて順次再生される。これによって、自動車の運転者は、複数のメディアユニットによって再生された所定のコンテンツデータの提供を順次受ける。
【００２６】
したがって、この発明によれば、運転者は、自動車の社内外から供給されたコンテンツデータの提供を受け、タイトルが異なるコンテンツデータの提供を受けることができる。その結果、運転者が飽きる度合を少なくできるとともに、同じコンテンツデータが重複して提供されるのを少なくできる。
【発明を実施するための最良の形態】
【００２７】
本発明の実施の形態について図面を参照しながら詳細に説明する。なお、図中同一または相当部分には同一符号を付してその説明は繰返さない。
【００２８】
図１は、この発明の実施の形態によるカーオーディオを備えた自動車を示す概略図である。図１を参照して、この発明の実施の形態によるカーオーディオ１０は、自動車１００に搭載される。そして、自動車１００の運転者２０は、ハンドル１０１を操作しながらカーオーディオ１０を動作させて各種の音楽を楽しむ。
【００２９】
カーオーディオ１０は、デジタルラジオ放送局４０からのデジタルラジオ放送により各種の音楽データを受信し、その受信した音楽データを再生するとともに、後述するように、ＨＤＤ（Ｈａｒｄ  Ｄｉｓｋ  Ｄｒｉｖｅ）に格納した音楽データを再生したり、ＭＰ３プレーヤ等によって各種の音楽データを高音質で再生することもできる。
【００３０】
図２は、図１に示すカーオーディオ１０の構成を示す概略ブロック図である。図２を参照して、カーオーディオ１０は、表示部１と、操作部２と、メインＣＰＵ３と、ＨＤＤ部４と、デコーダ５と、デジタルラジオ部６と、ＭＰ３プレーヤ７と、ポータブルデバイス  インターフェース部（以下、「ＰＤ  Ｉ／Ｆ部」という）８と、アイポッド（以下、「ｉＰｏｄ」という）９と、Ｅ−Ｖｏｌ部１１と、パワー部１２と、スピーカ１３とを備える。
【００３１】
表示部１は、メインＣＰＵ３からの指示に従って各種の情報を表示する。操作部２は、音楽データの再生指示等の各種の指示を受付け、その受付けた各種の指示をメインＣＰＵ３へ出力する。
【００３２】
メインＣＰＵ３は、ミックス再生の指示を操作部２から受けると、ＨＤＤ部４に格納された音楽データを再生するようにデコーダ５を制御し、その後、デジタルラジオ部６、ＭＰ３プレーヤ７およびｉＰｏｄ９を順次動作させるように制御する。すなわち、メインＣＰＵ３は、まず、ＨＤＤ部４に格納された音楽データを読出してデコーダ５へ出力し、その後、デジタルラジオ部６を動作するように制御し、その後、ＭＰ３プレーヤ７を動作するように制御し、その後、ｉＰｏｄ９を動作するように制御する。
【００３３】
なお、ミックス再生とは、ＨＤＤ部４（およびデコーダ５）、デジタルラジオ部６、ＭＰ３プレーヤ７およびｉＰｏｄ９という複数の機器を用いて、各機器で再生可能な音楽データを混在して再生することを言う。
【００３４】
また、メインＣＰＵ３は、トラック再生の指示を操作部２から受けると、そのトラック再生の対象となる機器を選択し、その選択した機器を動作するように制御する。
【００３５】
なお、トラック再生とは、ＨＤＤ部４（およびデコーダ５）、デジタルラジオ部６、ＭＰ３プレーヤ７およびｉＰｏｄ９のうち、任意の１個の機器を用いて音楽データを再生することを言う。
【００３６】
さらに、メインＣＰＵ３は、表１に示すプレイリストを作成し、その作成したプレイリストを表示部１に表示する。
【００３７】
【表１】
2007026598.tif 000003
【００３８】
プレイリストは、複数のメディアである「ＨＤＤ」、「ＭＰ３−ＣＤ」、「ｉＰｏｄ」および「デジタルラジオ」と、音楽データの“ジャンル”、“アルバム名”および“歌手名”とを対応付けたものである。表１中の二重丸は、各メディアによる音楽データの再生が可能であることを表す。
【００３９】
したがって、ジャンル別に音楽データを再生する場合、「ＨＤＤ」、「ＭＰ３−ＣＤ」、「ｉＰｏｄ」および「デジタルラジオ」の全てにおいて音楽データを再生することができ、アルバム名別または歌手名別に音楽データを再生する場合、「ＨＤＤ」、「ＭＰ３−ＣＤ」および「ｉＰｏｄ」において音楽データを再生することが可能である。
【００４０】
アルバム名別または歌手名別に音楽データを再生する場合、デジタルラジオ部６を除外しているのは、ＨＤＤ」、「ＭＰ３−ＣＤ」および「ｉＰｏｄ」において再生された音楽データと重複する可能性があるからである。
【００４１】
メインＣＰＵ３は、その他、カーオーディオ１０内の各部を制御する。
【００４２】
ＨＤＤ部４は、カーオーディオ１０に本来的に内蔵されており、自動車１００の車内においてＣＤ等から録音された音楽データを格納する。デコーダ５は、メインＣＰＵ３から音楽データを受けると、その受けた音楽データをデコードし、そのデコードした音楽データをＥ−Ｖｏｌ部１１へ出力する。
【００４３】
デジタルラジオ部６は、メインＣＰＵ３からの制御によって起動されると、図１に示すデジタルラジオ放送局４０からのデジタルラジオ放送による音楽データを受信し、その受信した音楽データを再生してＥ−Ｖｏｌ部１１へ出力する。
【００４４】
ＭＰ３プレーヤ７は、メインＣＰＵ３からの制御によって起動されると、ＭＰ３データからなる音楽データを収録したＣＤ−Ｒから音楽データを読出し、その読出した音楽データを再生してＥ−Ｖｏｌ部１１へ出力する。
【００４５】
ＰＤ  Ｉ／Ｆ部８は、メインＣＰＵ３とｉＰｏｄ９との間、またはｉＰｏｄ９とＥ−Ｖｏｌ部１１との間で信号およびデータのやり取りを行なう。ｉＰｏｄ９は、ＰＤ  Ｉ／Ｆ部８に接続され、ＭＰ３、ＡＩＦＦ（Ａｕｄｉｏ  Ｉｎｔｅｒｃｈａｎｇｅ  Ｆｉｌｅ  Ｆｏｒｍａｔ）、ＷＡＶおよびＡＡＣ（Ａｄｖａｎｃｅｄ  Ａｕｄｉｏ  Ｃｏｄｉｎｇ）等の各種のフォーマットによって作製された音楽データを保持している。そして、ｉＰｏｄ９は、ＰＤ  Ｉ／Ｆ部８を介してメインＣＰＵ３からの制御によって起動されると、その保持している音楽データの中から所望の音楽データを抽出して音楽データを再生し、その再生した音楽データをＰＤ  Ｉ／Ｆ部８を介してＥ−Ｖｏｌ部１１へ出力する。
【００４６】
なお、ＷＡＶは、「ＷＡＶＥ形式」とも呼ばれ、音声信号をデジタルデータに変換したものを記録するための保存形式を規定している。そして、ＷＡＶは、圧縮（符号化）方式については規定しておらず、任意の圧縮方式を利用できる。また、ＷＡＶは、ＣＯＤＥＣ（ＣＯｄｅｒ  ＤＥＣｏｒｄｅｒ）を追加することにより、ＭＰ３およびＩｎｄｅｏ  Ａｕｄｉｏ等の様々な圧縮方式を利用できる。
【００４７】
また、ＡＡＣは、動画圧縮規格「ＭＰＥＧ−２」，「ＭＰＥＧ−４」で利用される音声圧縮形式である。そして、ＡＡＣは、ＭＰＥＧ−１よりも圧縮率が高く、ＡＡＣによって圧縮した音楽データは、ＭＰＥＧ−１によって圧縮した音楽データよりも音質がよい。
【００４８】
Ｅ−Ｖｏｌ部１１は、メインＣＰＵ３によって指示された順序に従って、デコーダ５、デジタルラジオ部６、ＭＰ３プレーヤ７およびｉＰｏｄ９から受けた複数の音楽データを順次選択してパワー部１２へ出力する。
【００４９】
パワー部１２は、Ｅ−Ｖｏｌ部１１から受けた音楽データを増幅してスピーカ１３へ出力する。スピーカ１３は、パワー部１２からの音楽データを外部へ出力する。
【００５０】
図３は、図２に示す操作部２の概略図である。図３を参照して、操作部２は、ボタン２１〜３８を含む。ボタン２１は、ミックス再生用のボタンであり、ボタン２２〜２５は、音楽データを再生する機器を選択するためのボタンであり、ボタン２６〜２８は、再生する音楽データの範囲を決定するためのボタンであり、ボタン２９〜３８は、各種の文字情報をカーオーディオ１０に入力するためのボタンである。
【００５１】
そして、ボタン２２は、ＨＤＤ部４に格納された音楽データの再生を指示するためのボタンであり、ボタン２３は、デジタルラジオ部６による音楽データの再生を指示するためのボタンであり、ボタン２４は、ＭＰ３プレーヤ７による音楽データの再生を指示するためのボタンであり、ボタン２５は、ｉＰｏｄ９による音楽データの再生を指示するためのボタンである。
【００５２】
また、ボタン２６は、ジャンル別に音楽データを再生することを指示するためのボタンであり、ボタン２７は、アルバム名別に音楽データを再生することを指示するためのボタンであり、ボタン２８は、歌手名別に音楽データを再生することを指示するためのボタンである。
【００５３】
さらに、ボタン２９は、“あ”行の文字を入力するためのボタンであり、ボタン３０は、“か”行の文字を入力するためのボタンであり、ボタン３１は、“さ”行の文字を入力するためのボタンであり、ボタン３２は、“た”行の文字を入力するためのボタンであり、ボタン３３は、“な”行の文字を入力するためのボタンであり、ボタン３４は、“は”行の文字を入力するためのボタンであり、ボタン３５は、“ま”行の文字を入力するためのボタンであり、ボタン３６は、“や”行の文字を入力するためのボタンであり、ボタン３７は、“ら”行の文字を入力するためのボタンであり、ボタン３８は、“わ”行の文字を入力するためのボタンである。
【００５４】
操作部２は、ボタン２１が押されると、信号ＭＲＰを生成してメインＣＰＵ３へ出力し、ボタン２２〜２５が押されると、それぞれ、信号ＢＳＧＬ１〜ＢＳＧＬ４を生成してメインＣＰＵ３へ出力する。また、操作部２は、ボタン２９〜３８によって入力された文字情報をメインＣＰＵ３へ出力する。
【００５５】
図４は、デジタルラジオ放送のデータ構成を示す図である。図４を参照して、放送フレームは、ｎ（ｎは正の整数）個のチャネルデータ１〜ｎからなる。そして、ｎ個のチャネルデータ１〜ｎは、１つのデジタル放送信号の中に多重化され、所定のフレーム単位で送信される。
【００５６】
１つのチャネルデータは、音楽番組であれば、音楽データと番組付加情報とからなり、番組付加情報は、番組名、アーティスト名、タイトル、ジャンル、曲の終了を通知するエンドビット、および曲の経過時間を通知する経過時間等からなる。
【００５７】
デジタルラジオ部６は、図４に示すデータ構成からなるデジタル放送信号を受信し、その受信したデジタル放送信号を再生して再生データをＥ−Ｖｏｌ部１１へ出力する。
【００５８】
図５は、ＭＰ３のデータ構成を示す図である。図５を参照して、ＭＰ３では、１曲がｎ個のフレームに分割されてＣＤ−Ｒ等の記録媒体に記録されており、フレーム１〜ｎの各々は、各フレームごとに曲の音質情報が記録されたヘッダ、曲のデータ、およびＩＤ３  Ｔａｇからなる。
【００５９】
ヘッダは、同期ヘッダと、ＭＰＥＧ１，ＭＰＥＧ２，ＭＰＥＧ２．５のいずれかを示すバージョンと、レイヤー１、レイヤー２、レイヤー３のいずれかを示すレイヤーと、エラー保護が有効か無効かを示すエラー保護と、曲のビットレートを示すビットレートと、曲のサンプリングレートを示すサンプリングレートとからなる。
【００６０】
また、ＩＤ３  Ｔａｇは、タイトル、アーティスト名およびジャンル等からなる。
【００６１】
ＭＰ３のデータを作成する場合、運転者２０は、音楽データが格納された音楽ＣＤをパーソナルコンピュータに装着し、たとえば、ｃｄｐａｒａｎｏｉａというソフトウェアを用いて音楽ＣＤに格納された音楽データの全てを吸い出してデータ形式をＷＡＶ形式に変換する（ＣＤのリッピング）。
【００６２】
その後、運転者２０は、ｃｄｐａｒａｎｏｉａを用いてＷＡＶ形式のデータを図５に示すデータ構成からなるＭＰ３データに変換し、その変換したＭＰ３データをＣＤ−Ｒ等の記録媒体に記録する。
【００６３】
また、運転者２０は、ＭＰ３データを記録媒体に記録する前に複数のＭＰ３データを編集してアルバムを作成し、その作成したアルバムを記録媒体に記録することもできる。この場合、運転者２０は、作成したアルバムにアルバム名を付けて記録媒体に記録する。
【００６４】
このように、運転者２０は、音楽ＣＤに格納された音楽データを変換してＭＰ３データを作成し、その作成したＭＰ３データを単独またはアルバムに編集して記録媒体に記録する。
【００６５】
運転者２０は、ｉＰｏｄ９を用いて音楽を楽しむとき、音楽ＣＤをパーソナルコンピュータに装着し、ｉＴｕｎｅｓというソフトウェアを用いて音楽ＣＤに格納されている音楽データを全て吸い出す。ｉＴｕｎｅｓは、この音楽データの吸出と同時にデータ形式を図５に示すＭＰ３形式またはＡＡＣ形式に変換している。
【００６６】
その後、運転者２０は、ｉＰｏｄ９をパーソナルコンピュータに接続し、作成したＡＡＣデータをｉＴｕｎｅｓを用いてｉＰｏｄ９へ転送する。
【００６７】
また、運転者２０は、ＭＰ３データをｉＰｏｄ９に転送する前に、ｉＴｕｎｅｓを用いて複数のＭＰ３データを編集してアルバムを作成し、その作成したアルバムをｉＰｏｄ９に転送することもできる。この場合、運転者２０は、作成したアルバムにアルバム名を付けてｉＰｏｄ９へ転送する。
【００６８】
このように、運手者２０は、音楽ＣＤに格納された音楽データを変換してＡＡＣ／ＭＰ３データを作成し、その作成したＡＡＣ／ＭＰ３データを単独またはアルバムに編集してｉＰｏｄ９へ転送する。
【００６９】
そして、ｉＰｏｄ９は、パーソナルコンピュータから転送されたＡＡＣ−Ｃデータを、内蔵しているＨＤＤに格納する。
【００７０】
図６は、ＨＤＤ部４、ＭＰ３プレーヤ７およびｉＰｏｄ９における音楽データの管理方式を示す図である。図６を参照して、ＨＤＤ部４、ＭＰ３プレーヤ７およびｉＰｏｄ９の各々は、“ジャンル”、“アルバム名”、“歌手名”および“音楽データ”を相互に対応付けて保持している。
【００７１】
したがって、ＨＤＤ部４、ＭＰ３プレーヤ７およびｉＰｏｄ９の各々は、メインＣＰＵ３からジャンルＪ１の曲の読出または再生を指示されたとき、ジャンルＪ１に対応する音楽データＤＡ１の読出または再生を直ぐに行なうことができる。
【００７２】
また、ＨＤＤ部４、ＭＰ３プレーヤ７およびｉＰｏｄ９の各々は、同様にして、アルバム名または歌手名が指定されたとき、その指定されたアルバム名または歌手名に対応する音楽データの読出または再生を直ぐに行なうことができる。
【００７３】
自動車１００の運転者２０は、表示部１に表示されたプレイリスト（表１）を参照して、ミックス再生を行なうかトラック再生を行なうかを指示するとともに、ミックス再生を指示したとき、ＨＤＤ部４、デジタルラジオ部６、ＭＰ３プレーヤ７およびｉＰｏｄ９の４個の機器のうち、どの複数の機器を用いてミックス再生するのかを指示する。
【００７４】
したがって、運転者２０は、ミックス再生するとき、ボタン２１を押し、その後、ミックス再生を行なうための機器を指示するためにボタン２２〜２５から選択した少なくとも２個のボタンを押す。たとえば、ボタン２２〜２５のうち、ボタン２３，２４が押されたものとする。
【００７５】
そうすると、操作部２は、ボタン２１が押下されたことに応じて信号ＭＲＰを生成してメインＣＰＵ３へ出力し、その後、２個のボタン２３，２４が押下されたことに応じて、信号ＢＳＧＬ２，ＢＳＧＬ３を生成してメインＣＰＵ３へ出力する。
【００７６】
メインＣＰＵ３は、操作部２から信号ＭＲＰおよび信号ＢＳＧＬ２，ＢＳＧＬ３を順次受けたことに起因してミックス再生が指示されたことを検知する。そして、メインＣＰＵ３は、デジタルラジオ部６およびＭＰ３プレーヤ７によって再生される音楽データのうち、どの範囲でミックス再生を行なうのかを運転者２０に問い合わせるために、“再生範囲？”を生成して表示部１に表示する。
【００７７】
運転者２０は、表示部１に表示された“再生範囲？”を見て、表１に示す“ジャンル”、“アルバム名”および“歌手名”の中から１つを選択し、その選択した１つにおいて、具体的なジャンル等を操作部２から入力する。
【００７８】
たとえば、運転者２０は、ジャンル別に音楽データを再生するとき、ボタン２６を押し、その後、ボタン２９〜３８を用いて具体的なジャンルである“ロック”を入力する。また、運転者２０は、アルバム名別に音楽データを再生するとき、ボタン２７を押し、その後、ボタン２９〜３８を用いて具体的なアルバム名を入力する。さらに、運転者２０は、歌手名別に音楽データを再生するとき、ボタン２８を押し、その後、ボタン２９〜３８を用いて具体的な歌手名を入力する。
【００７９】
メインＣＰＵ３は、操作部２からの具体的なジャンル等を受け、その受けた具体的なジャンル等の範囲の音楽データを再生するようにデジタルラジオ部６およびＭＰ３プレーヤ７を制御する。この場合、メインＣＰＵ３は、任意の順序でデジタルラジオ部６およびＭＰ３プレーヤ７が具体的なジャンルの範囲に含まれる音楽データを再生するようにデジタルラジオ部６およびＭＰ３プレーヤ７を制御する。
【００８０】
ミックス再生を行なう機器として他の機器が選択されたときも、同様にして複数の機器が具体的な範囲において音楽データを順次再生する。
【００８１】
運転者２０は、音楽データのトラック再生を行なうとき、ボタン２２〜２５のいずれかを押す。そして、操作部２は、信号ＢＳＧＬ１〜ＢＳＧＬ４のうち、いずれかの信号を生成してメインＣＰＵ３へ出力する。
【００８２】
メインＣＰＵ３は、信号ＢＳＧＬ１〜ＢＳＧＬ４のうち、いずれかの信号を単独で受けたことに起因してトラック再生が指示されたことを検知する。そして、メインＣＰＵ３は、操作部２から受けた信号（信号ＢＳＧＬ１〜ＢＳＧＬ４のいずれか）によって指定された機器（ＨＤＤ部４、デジタルラジオ部６、ＭＰ３プレーヤ７およびｉＰｏｄ９のいずれか）を音楽データを再生するように制御する。
【００８３】
なお、トラック再生する場合においても、ジャンル等の再生範囲を指定することは可能であり、運転者２０は、ボタン２２〜２５を押した後に、ミックス再生の場合と同様にしてボタン２６〜２８およびボタン２９〜３８を用いて具体的なジャンル等を入力する。メインＣＰＵ３は、信号ＢＳＧＬ１〜ＢＳＧＬ４のうち、いずれかの信号を単独で受けた後に具体的なジャンル等を受けると、その受けた具体的なジャンル等の範囲で音楽データを再生するように、操作部２から受けた信号（信号ＢＳＧＬ１〜ＢＳＧＬ４のいずれか）によって指定された機器（ＨＤＤ部４、デジタルラジオ部６、ＭＰ３プレーヤ７およびｉＰｏｄ９のいずれか）を制御する。
【００８４】
次に、ミックス再生およびトラック再生の動作について説明する。
【００８５】
［ミックス再生］
自動車１００の運転者２０は、ＨＤＤ部４、デジタルラジオ部６、ＭＰ３プレーヤ７およびｉＰｏｄ９を用いてミックス再生を行なう場合、操作部２のボタン２１を押し、その後、ボタン２２〜２５を順次押す。
【００８６】
そうすると、操作部２は、信号ＭＲＰおよび信号ＢＳＧＬ１〜ＢＳＧＬ４を順次生成し、その生成した信号ＭＲＰおよび信号ＢＳＧＬ１〜ＢＳＧＬ４をメインＣＰＵ３へ順次出力する。
【００８７】
メインＣＰＵ３は、操作部２から信号ＭＲＰおよび信号ＢＳＧＬ１〜ＢＳＧＬ４を順次受け、ＨＤＤ部４、デジタルラジオ部６、ＭＰ３プレーヤ７およびｉＰｏｄ９を用いてミックス再生を行なうことが指示されたことを検知する。
【００８８】
そして、メインＣＰＵ３は、“再生範囲？”を生成して表示部１に表示する。運転者２０は、表示部１に表示された“再生範囲？”を見て、ボタン２９〜３８を用いて具体的なジャンルを入力する。たとえば、運転者２０は、具体的なジャンルとして“ロック”を入力する。
【００８９】
操作部２は、入力された“ロック”をメインＣＰＵ３へ出力する。メインＣＰＵ３は、操作部２から“ロック”を受けると、ジャンルが“ロック”である音楽データの再生を行なうように、ＨＤＤ部４（およびデコーダ５）、デジタルラジオ部６、ＭＰ３プレーヤ７およびｉＰｏｄ９を制御するとともに、デコーダ５からの音楽データ、デジタルラジオ部６からの音楽データ、ＭＰ３プレーヤ７からの音楽データ、およびＰＤ  Ｉ／Ｆ部８からの音楽データの順にパワー部１２へ出力するように、Ｅ−Ｖｏｌ部１１を制御する。
【００９０】
メインＣＰＵ３は、ＨＤＤ部４に格納された音楽データの再生を制御するとき、ジャンルが“ロック”である音楽データを順次出力するようにＨＤＤ部４を制御し、ＨＤＤ部４は、メインＣＰＵ３からの制御に応じて図６に示すリストを参照し、ジャンルが“ロック”である音楽データをメインＣＰＵ３へ出力する。
【００９１】
メインＣＰＵ３は、ＨＤＤ部４から音楽データを受け、その受けた音楽データをデコーダ５へ出力する。そして、デコーダ５は、メインＣＰＵ３から受けた音楽データを順次デコードしてＥ−Ｖｏｌ部１１へ出力する。
【００９２】
また、デジタルラジオ部６は、メインＣＰＵ３からの制御に応じて、デジタルラジオ放送局４０から受信したデジタル放送信号から、ジャンルが“ロック”であるデジタル放送信号を抽出して再生し、その再生した再生データをＥ−Ｖｏｌ部１１へ出力する。
【００９３】
さらに、ＭＰ３プレーヤ７は、メインＣＰＵ３からの制御に応じて図６に示すリストを参照し、ジャンルが“ロック”である音楽データを順次抽出して音楽データを再生する。そして、ＭＰ３プレーヤ７は、その再生した再生データをＥ−Ｖｏｌ部１１へ出力する。
【００９４】
さらに、ｉＰｏｄ９は、メインＣＰＵ３からの制御に応じて図６に示すリストを参照し、ジャンルが“ロック”である音楽データをＨＤＤから抽出するとともに、その抽出した音楽データをｉＴｕｎｅｓを用いて再生し、その再生した音楽データをＰＤ  Ｉ／Ｆ部８を介してＥ−Ｖｏｌ部１１へ出力する。
【００９５】
Ｅ−Ｖｏｌ部１１は、メインＣＰＵ３からの制御に従って、デコーダ５からの音楽データをパワー部１２へ出力し、デコーダ５からの音楽データの入力が終了すると、デジタルラジオ部６から入力された音楽データをＥ−Ｖｏｌ部１１へ出力し、デジタルラジオ部６からの音楽データの入力が終了すると、ＭＰ３プレーヤ７から入力された音楽データをパワー部１２へ出力し、ＭＰ３プレーヤ７からの音楽データの入力が終了すると、ＰＤ  Ｉ／Ｆ部８を介してｉＰｏｄ９から入力された音楽データをＥ−Ｖｏｌ部１１へ出力する。
【００９６】
そして、パワー部１２は、Ｅ−Ｖｏｌ部１１からの音楽データを順次増幅してスピーカ１３へ出力し、スピーカ１３は、パワー部１２からの音楽データを外部へ順次出力する。
【００９７】
このように、カーオーディオ１０は、運転者２０からのミックス再生の指示に応じて、ＨＤＤ部４（デコーダ５）、デジタルラジオ部６、ＭＰ３プレーヤ７およびｉＰｏｄ９という複数のメディアを用いて複数の音楽データを混在して再生する。
【００９８】
これによって、運転者２０は、デコーダ５によって再生された音楽データ、デジタルラジオ部６によって再生された音楽データ、ＭＰ３プレーヤ７によって再生された音楽データおよびｉＰｏｄ９によって再生された音楽データの順に曲を聴く。
【００９９】
したがって、運転者２０は、ＨＤＤ部４に格納された音楽データに限らず、自動車１００外のデジタルラジオ放送局４０から送信された音楽データ、自動車１００の車外からＭＰ３プレーヤ７に格納された音楽データおよび自動車１００の車外からｉＰｏｄ９に格納された音楽データを聴くことでき、タイトルが異なる曲を聴くことができる。その結果、運転者２０が飽きる度合を少なくできる。
【０１００】
特に、ｉＰｏｄ９は、ＰＤ  Ｉ／Ｆ部８を介して接続されるため、ｉＰｏｄ９の持ち主が運転者２０以外の同乗者であった場合、運転者２０は、自己所有の音楽データ以外の音楽データを聴くことができ、運転者２０が飽きる度合をさらに低減できる。
【０１０１】
なお、上記においては、メインＣＰＵ３は、デコーダ５からの音楽データ、デジタルラジオ部６からの音楽データ、ＭＰ３プレーヤ７からの音楽データ、およびＰＤ  Ｉ／Ｆ部８（ｉＰｏｄ９）からの音楽データの順に音楽データをパワー部１２へ出力するように、Ｅ−Ｖｏｌ部１１を制御すると説明したが、この発明においては、これに限らず、デコーダ５からの音楽データ、デジタルラジオ部６からの音楽データ、ＭＰ３プレーヤ７からの音楽データ、およびＰＤ  Ｉ／Ｆ部８（ｉＰｏｄ９）からの音楽データを上記以外の順序でパワー部１２へ出力するように、Ｅ−Ｖｏｌ部１１を制御してもよい。
【０１０２】
また、上記においては、ＨＤＤ部４（およびデコーダ５）、デジタルラジオ部６、ＭＰ３プレーヤ７およびｉＰｏｄ９の全てを用いてミックス再生を行なう場合について説明したが、この発明においては、これに限らず、ＨＤＤ部４（およびデコーダ５）、デジタルラジオ部６、ＭＰ３プレーヤ７およびｉＰｏｄ９から選択した２個以上のメディア（ＨＤＤ部４等）を用いてミックス再生を行なうようにしてもよい。この場合、運転者２０は、ボタン２１を押した後、ボタン２２〜２５から選択した２個以上のボタンを順次押す。
【０１０３】
運転者２０がアルバム名または歌手名を指定してミックス再生を指示する場合、デジタルラジオ部６は、表１に示すようにミックス再生の対象にならないので、運転者２０は、ボタン２１を押した後に、ボタン２２，２４，２５から選択した２個または３個のボタンを順次押すことになる。
【０１０４】
［トラック再生］
（ａ）ＨＤＤ部４およびデコーダ５を用いた音楽データの再生
運転者２０は、ＨＤＤ部４に格納された音楽データのトラック再生を指示する場合、操作部２のボタン２２のみを押す。なお、運転者２０は、“ジャンル”、“アルバム名”および“歌手名”等の再生範囲を指定したい場合、ボタン２２の押下に連続してボタン２９〜３８を用いて、具体的な“ジャンル”等を入力する。
【０１０５】
操作部２は、ボタン２２が押下されたことに応じて信号ＢＳＧＬ１を生成してメインＣＰＵ３へ出力し、メインＣＰＵ３は、操作部２から信号ＢＳＧＬ１を受けて、ＨＤＤ部４およびデコーダ５を用いた音楽データのトラック再生が指示されたことを検知する。
【０１０６】
そして、メインＣＰＵ３は、信号ＢＳＧＬ１に連続して具体的な“ジャンル”等の指示を操作部２から受けない場合、音楽データを順次出力するようにＨＤＤ部４を制御するとともに、デコーダ５から入力された音楽データをパワー部１２へ出力するようにＥ−Ｖｏｌ部１１を制御する。
【０１０７】
ＨＤＤ部４は、メインＣＰＵ３からの制御に応じて、格納している全ての音楽データを所定の順序（たとえば、格納した順序）に従ってメインＣＰＵ３へ出力する。メインＣＰＵ３は、ＨＤＤ部４から複数の音楽データを順次受け、その受けた複数の音楽データをデコーダ５へ順次出力する。デコーダ５は、メインＣＰＵ３からの複数の音楽データをデコードしてＥ−Ｖｏｌ部１１へ順次出力する。
【０１０８】
Ｅ−Ｖｏｌ部１１は、デコーダ５から入力された音楽データをパワー部１２へ順次出力し、パワー部１２は、Ｅ−Ｖｏｌ部１１からの音楽データを増幅してスピーカ１３へ順次出力する。そして、スピーカ１３は、パワー部１２からの音楽データを外部へ順次出力する。
【０１０９】
これによって、運転者２０は、ＨＤＤ部４に格納された全ての音楽を順次聴くことができる。この場合、運転者２０は、ＨＤＤ部４に格納された音楽を聴くことに飽きれば、他のメディア（デジタルラジオ部６等）を用いて音楽を聴くか、カーオーディオ１０を停止すればよい。
【０１１０】
一方、運転者２０がボタン２２を押した後に、歌手名Ｋを入力した場合、メインＣＰＵ３は、信号ＢＳＧＬ１に連続して“歌手名Ｋ”を操作部２から受ける。そして、メインＣＰＵ３は、“歌手名Ｋ”の音楽データを順次出力するようにＨＤＤ部４を制御するとともに、デコーダ５からの音楽データをパワー部１２へ出力するようにＥ−Ｖｏｌ部１１を制御する。
【０１１１】
そうすると、ＨＤＤ部４は、メインＣＰＵ３からの制御に応じて、“歌手名Ｋ”の音楽データをメインＣＰＵ３へ順次出力する。メインＣＰＵ３は、ＨＤＤ部４から“歌手名Ｋ”の音楽データを順次受け、その受けた“歌手名Ｋ”の音楽データをデコーダ５へ順次出力する。
【０１１２】
デコーダ５は、“歌手名Ｋ”の音楽データを順次デコードしてＥ−Ｖｏｌ部１１へ出力し、Ｅ−Ｖｏｌ部１１は、デコーダ５から入力された音楽データをパワー部１２へ順次出力する。そして、パワー部１２は、Ｅ−Ｖｏｌ部１１からの音楽データを増幅してスピーカ１３へ順次出力し、スピーカ１３は、パワー部１２からの音楽データを外部へ順次出力する。
【０１１３】
これによって、運転者２０は、“歌手名Ｋ”の曲を聴くことができる。
【０１１４】
なお、アルバム名およびジャンル等の他の再生範囲が指定された場合も、同様にして、その指定された再生範囲に含まれる音楽データがＨＤＤ部４から順次読出されて再生される。
【０１１５】
（ｂ）デジタルラジオ部６を用いた音楽データの再生
運転者２０は、デジタルラジオ部６による音楽データのトラック再生を指示する場合、操作部２のボタン２３のみを押す。なお、運転者２０は、“ジャンル”、“アルバム名”および“歌手名”等の再生範囲を指定したい場合、ボタン２３の押下に連続してボタン２９〜３８を用いて、具体的な“ジャンル”等を入力する。
【０１１６】
操作部２は、ボタン２３が押下されたことに応じて信号ＢＳＧＬ２を生成してメインＣＰＵ３へ出力し、メインＣＰＵ３は、操作部２から信号ＢＳＧＬ２を受けて、デジタルラジオ部６による音楽データのトラック再生が指示されたことを検知する。
【０１１７】
そして、メインＣＰＵ３は、信号ＢＳＧＬ２に連続して具体的な“ジャンル”等の指示を操作部２から受けない場合、デジタルラジオ放送局４０からのデジタル放送信号を受信して再生するようにデジタルラジオ部６を制御するとともに、デジタルラジオ部６から入力された音楽データをパワー部１２へ出力するようにＥ−Ｖｏｌ部１１を制御する。
【０１１８】
デジタルラジオ部６は、メインＣＰＵ３からの制御に応じて、デジタルラジオ放送局４０から音楽データを順次受信し、その受信した音楽データを順次再生してＥ−Ｖｏｌ部１１へ出力する。
【０１１９】
Ｅ−Ｖｏｌ部１１は、デジタルラジオ部６から入力された音楽データをパワー部１２へ出力し、パワー部１２は、Ｅ−Ｖｏｌ部１１からの音楽データを増幅してスピーカ１３へ出力する。そして、スピーカ１３は、パワー部１２からの音楽データを外部へ順次出力する。
【０１２０】
これによって、運転者２０は、デジタルラジオ部６によって受信された音楽を順次聴くことができる。この場合、運転者２０は、デジタルラジオ部６によって受信された音楽を聴くことに飽きれば、他のメディア（ＭＰ３プレーヤ７等）を用いて音楽を聴くか、カーオーディオ１０を停止すればよい。
【０１２１】
一方、運転者２０がボタン２３を押した後に、アルバム名Ｍを入力した場合、メインＣＰＵ３は、信号ＢＳＧＬ２に連続して“アルバム名Ｍ”を操作部２から受ける。そして、メインＣＰＵ３は、デジタルラジオ放送局４０から受信した音楽データのうち、“アルバム名Ｍ”の音楽データを順次再生するようにデジタルラジオ部６を制御するとともに、デジタルラジオ部６からの音楽データをパワー部１２へ出力するようにＥ−Ｖｏｌ部１１を制御する。
【０１２２】
そうすると、デジタルラジオ部６は、メインＣＰＵ３からの制御に応じて、“アルバム名Ｍ”の音楽データを再生してＥ−Ｖｏｌ部１１へ順次出力し、Ｅ−Ｖｏｌ部１１は、デジタルラジオ部６から入力された音楽データをパワー部１２へ順次出力する。そして、パワー部１２は、Ｅ−Ｖｏｌ部１１からの音楽データを増幅してスピーカ１３へ順次出力し、スピーカ１３は、パワー部１２からの音楽データを外部へ順次出力する。
【０１２３】
これによって、運転者２０は、“アルバム名Ｍ”の曲を聴くことができる。
【０１２４】
なお、歌手名およびジャンル等の他の再生範囲が指定された場合も、同様にして、その指定された再生範囲に含まれる音楽データがデジタルラジオ部６によって再生される。
【０１２５】
（ｃ）ＭＰ３プレーヤ７を用いた音楽データの再生
運転者２０は、ＭＰ３プレーヤ７によって音楽データのトラック再生を指示する場合、操作部２のボタン２４のみを押す。なお、運転者２０は、“ジャンル”、“アルバム名”および“歌手名”等の再生範囲を指定したい場合、ボタン２４の押下に連続してボタン２９〜３８を用いて、具体的な“ジャンル”等を入力する。
【０１２６】
操作部２は、ボタン２４が押下されたことに応じて信号ＢＳＧＬ３を生成してメインＣＰＵ３へ出力し、メインＣＰＵ３は、操作部２から信号ＢＳＧＬ３を受けて、ＭＰ３プレーヤ７を用いた音楽データのトラック再生が指示されたことを検知する。
【０１２７】
そして、メインＣＰＵ３は、信号ＢＳＧＬ３に連続して具体的な“ジャンル”等の指示を操作部２から受けない場合、音楽データを順次再生するようにＭＰ３プレーヤ７を制御するとともに、ＭＰ３プレーヤ７から入力された音楽データをパワー部１２へ出力するようにＥ−Ｖｏｌ部１１を制御する。
【０１２８】
ＭＰ３プレーヤ７は、メインＣＰＵ３からの制御に応じて、装着された記録媒体に格納されている全ての音楽データを所定の順序に従って再生し、その再生した音楽データをＥ−Ｖｏｌ部１１へ順次出力する。
【０１２９】
Ｅ−Ｖｏｌ部１１は、ＭＰ３プレーヤ７から入力された音楽データをパワー部１２へ順次出力し、パワー部１２は、Ｅ−Ｖｏｌ部１１からの音楽データを増幅してスピーカ１３へ順次出力する。そして、スピーカ１３は、パワー部１２からの音楽データを外部へ順次出力する。
【０１３０】
これによって、運転者２０は、ＭＰ３プレーヤ７によって音楽を順次聴くことができる。この場合、運転者２０は、ＭＰ３プレーヤ７によって音楽を聴くことに飽きれば、他のメディア（ｉＰｏｄ９等）を用いて音楽を聴くか、カーオーディオ１０を停止すればよい。
【０１３１】
一方、運転者２０がボタン２４を押した後に、具体的なジャンルとして“演歌”を入力した場合、メインＣＰＵ３は、信号ＢＳＧＬ３に連続して“演歌”を操作部２から受ける。そして、メインＣＰＵ３は、“演歌”の音楽データを順次再生するようにＭＰ３プレーヤ７を制御するとともに、ＭＰ３プレーヤ７からの音楽データをパワー部１２へ出力するようにＥ−Ｖｏｌ部１１を制御する。
【０１３２】
そうすると、ＭＰ３プレーヤ７は、メインＣＰＵ３からの制御に応じて、“演歌”の音楽データを順次再生してＥ−Ｖｏｌ部１１へ順次出力し、Ｅ−Ｖｏｌ部１１は、ＭＰ３プレーヤ７から入力された音楽データをパワー部１２へ順次出力する。そして、パワー部１２は、Ｅ−Ｖｏｌ部１１からの音楽データを増幅してスピーカ１３へ順次出力し、スピーカ１３は、パワー部１２からの音楽データを外部へ順次出力する。
【０１３３】
これによって、運転者２０は、“演歌”の曲を聴くことができる。
【０１３４】
なお、アルバム名および歌手名等の他の再生範囲が指定された場合も、同様にして、その指定された再生範囲に含まれる音楽データがＭＰ３プレーヤ７によって再生される。
【０１３５】
（ｄ）ｉＰｏｄ９を用いた音楽データの再生
運転者２０は、ｉＰｏｄ９によって音楽データのトラック再生を指示する場合、操作部２のボタン２５のみを押す。なお、運転者２０は、“ジャンル”、“アルバム名”および“歌手名”等の再生範囲を指定したい場合、ボタン２５の押下に連続してボタン２９〜３８を用いて、具体的な“ジャンル”等を入力する。
【０１３６】
操作部２は、ボタン２５が押下されたことに応じて信号ＢＳＧＬ４を生成してメインＣＰＵ３へ出力し、メインＣＰＵ３は、操作部２から信号ＢＳＧＬ４を受けて、ｉＰｏｄ９を用いた音楽データのトラック再生が指示されたことを検知する。
【０１３７】
そして、メインＣＰＵ３は、信号ＢＳＧＬ４に連続して具体的な“ジャンル”等の指示を操作部２から受けない場合、音楽データを順次再生するようにｉＰｏｄ９を制御するとともに、ＰＤ  Ｉ／Ｆ部８（ｉＰｏｄ９）から入力された音楽データをパワー部１２へ出力するようにＥ−Ｖｏｌ部１１を制御する。
【０１３８】
ｉＰｏｄ９は、メインＣＰＵ３からの制御に応じて、格納している全ての音楽データを所定の順序に従って順次再生し、その再生した音楽データをＰＤ  Ｉ／Ｆ部８を介してＥ−Ｖｏｌ部１１へ順次出力する。
【０１３９】
Ｅ−Ｖｏｌ部１１は、ＰＤ  Ｉ／Ｆ部８から入力された音楽データをパワー部１２へ順次出力し、パワー部１２は、Ｅ−Ｖｏｌ部１１からの音楽データを増幅してスピーカ１３へ順次出力する。そして、スピーカ１３は、パワー部１２からの音楽データを外部へ順次出力する。
【０１４０】
これによって、運転者２０は、ｉＰｏｄ９によって音楽を順次聴くことができる。この場合、運転者２０は、ｉＰｏｄ９によって音楽を聴くことに飽きれば、他のメディア（ＨＤＤ部４等）を用いて音楽を聴くか、カーオーディオ１０を停止すればよい。
【０１４１】
一方、運転者２０がボタン２５を押した後に、具体的な再生範囲として“演歌”および“歌手名Ｂ”を入力した場合、メインＣＰＵ３は、信号ＢＳＧＬ４に連続して“演歌” および“歌手名Ｂ”を操作部２から受ける。そして、メインＣＰＵ３は、“歌手名Ｂ”の“演歌”の音楽データを順次再生するようにｉＰｏｄ９を制御するとともに、ＰＤ  Ｉ／Ｆ部８からの音楽データをパワー部１２へ出力するようにＥ−Ｖｏｌ部１１を制御する。
【０１４２】
そうすると、ｉＰｏｄ９は、メインＣＰＵ３からの制御に応じて、“歌手名Ｂ”の“演歌”の音楽データを順次再生してＥ−Ｖｏｌ部１１へ出力し、Ｅ−Ｖｏｌ部１１は、ＰＤ  Ｉ／Ｆ部８から入力された音楽データをパワー部１２へ順次出力する。そして、パワー部１２は、Ｅ−Ｖｏｌ部１１からの音楽データを増幅してスピーカ１３へ順次出力し、スピーカ１３は、パワー部１２からの音楽データを外部へ順次出力する。
【０１４３】
これによって、運転者２０は、“歌手名Ｂ”の“演歌”の曲を聴くことができる。
【０１４４】
なお、アルバム名およびジャンル等の他の再生範囲が指定された場合も、同様にして、その指定された再生範囲に含まれる音楽データがｉＰｏｄ９によって再生される。
【０１４５】
［全体動作］
図７は、図２に示すカーオーディオ１０の全体動作を説明するためのフローチャートである。図７を参照して、一連の動作が開始されると、操作部２を用いて運転者２０によって再生指示がなされる（ステップＳ１）。
【０１４６】
そして、メインＣＰＵ３は、ミックス再生に対応可能な複数の機器が存在するか否かを判定する（ステップＳ２）。この場合、メインＣＰＵ３は、複数の機器が自己に接続されているか否かにより、ミックス再生に対応可能な複数の機器が存在するか否かを判定する。ミックス再生に対応可能な複数の機器が存在しない場合、一連の動作は、ステップＳ７へ移行する。
【０１４７】
一方、ステップＳ２において、ミックス再生に対応可能な複数の機器が存在すると判定された場合、メインＣＰＵ３は、ミックス再生が指示されたか否かをさらに判定し（ステップＳ３）、ミックス再生が指示されていないと判定したとき、一連の動作は、ステップＳ７へ移行する。なお、メインＣＰＵ３は、操作部２から信号ＭＲＰを受けたか否かによりミックス再生が指示されたか否かを判定する。
【０１４８】
一方、ステップＳ３において、ミックス再生が指示されたと判定された場合、メインＣＰＵ３は、再生モードを取得する（ステップＳ４）。すなわち、メインＣＰＵ３は、信号ＭＲＰに連続して入力される信号ＢＳＧＬ１〜ＢＳＧＬ４と、ジャンル等を指定する文字情報とによって、どのメディアを用いてどのような範囲でミックス再生するのかを取得する。
【０１４９】
そして、メインＣＰＵ３は、再生モードを取得すると、その取得した再生モードに対応する再生機器（デコーダ５およびデジタルラジオ部６等）を選択し（ステップＳ５）、選択された再生機器は、上述した動作によって、複数のメディアに格納または保持された音楽データを混合してミックス再生を行なう（ステップＳ６）。
【０１５０】
一方、ステップＳ２において、ミックス再生に対応する複数の機器が存在しないと判定された場合、またはステップＳ３において、ミックス再生が指示されていないと判定されたとき、メインＣＰＵ３は、トラック再生が指示されたと判定し、操作部２から受けた信号（信号ＢＳＧＬ１〜ＢＳＧＬ４のいずれか）によって再生機器を選択するとともに（ステップＳ７）、音楽データを再生するように、選択した再生機器を制御し、選択された再生機器は、音楽データを再生し、トラック再生が行なわれる（ステップＳ８）。
【０１５１】
そして、ステップＳ６またはステップＳ８の後、一連の動作は終了する。
【０１５２】
なお、図７に示すフローチャートに従ってカーオーディオ１０の動作が実行される場合、メインＣＰＵ３は、ＲＯＭ（Ｒｅａｄ  Ｏｎｌｙ  Ｍｅｍｏｒｙ）からプログラムを読出し、その読出したプログラムを実行して図７に示すフローチャートに従ってカーオーディオ１０の動作を行なう。したがって、図７に示すフローチャートは、カーオーディオ１０の動作をコンピュータ（ＣＰＵ）に実行させるための「プログラム」を構成する。また、ＲＯＭは、カーオーディオ１０の動作をコンピュータに実行させるためのプログラムを記録したコンピュータ（ＣＰＵ）読み取り可能な「記録媒体」を構成する。
【０１５３】
上記においては、音楽データを複数のメディアによって再生して自動車１００の運転者２０に提供するカーオーディオ１０について説明したが、この発明においては、これに限らず、画像データを複数のメディアによって再生して自動車１００の運転者２０に提供する再生装置であってもよい。
【０１５４】
すなわち、対象とするデータは、音楽データに限らず画像データであってもよい。画像データを対象とする場合、図８に示す再生装置１１０が自動車１００に搭載される。図８は、画像データを複数の機器によって再生する再生装置の構成を示す図である。
【０１５５】
図８に示す再生装置１１０は、図２に示すカーオーディオ１０のＭＰ３プレーヤ７、パワー部１２およびスピーカ１３を削除し、表示部１およびデジタルラジオ部６をそれぞれ表示部１４およびデジタルテレビ放送受信部６０に代えたものであり、その他は、カーオーディオ１０と同じである。
【０１５６】
表示部１４は、Ｅ−Ｖｏｌ部１１から出力された画像データを視覚情報として順次表示する。デジタルテレビ放送受信部６０は、メインＣＰＵ３からデジタルテレビ放送を受信するように指示を受けると、デジタルテレビ放送局からデジタルテレビ放送を受信し、その受信したデジタルテレビ放送の画像データを再生してＥ−Ｖｏｌ部１１へ出力する。
【０１５７】
対象とするデータが画像データである場合、パーソナルコンピュータにおいてｉＰｏｄ  ｐｈｏｔｏというソフトウェアを実行して画像データをｉＰｏｄ  ｐｈｏｔｏに取り込むとともに、その取り込んだ画像データをｉＰｏｄ９へ転送して画像データをｉＰｏｄ９に内蔵されたＨＤＤに格納する。
【０１５８】
したがって、ｉＰｏｄ９は、画像データを格納することができる。また、ＨＤＤ部４も、画像データを格納することができる。
【０１５９】
対象とするデータが画像データである場合、画像データは、表２に示す区分からなる。
【０１６０】
【表２】
2007026598.tif 000004
【０１６１】
すなわち、画像データは、“自然”、“動物”、“植物”、“旅行”、“風景”、“街”、“アイドル”、“歌手”、“アルバムジャケット”、“車”、“イベント”および“その他”の区分からなる。
【０１６２】
また、画像データの一種である動画像データは、“映画”、“スポーツ”、“ニュース”、“バラエティ”、“アニメ”、“音楽”、“演劇”、“教育”、“ドキュメンタリー”、“情報”、“語学”および“その他”の区分からなる。
【０１６３】
自動車１００の運転者２０は、表２に示す区分に従って、自己が再生したい画像データの再生範囲を操作部２のボタン２９〜３８を用いて指定する。そして、メインＣＰＵ３は、操作部２から受けた画像データの再生範囲に従って、上述した動作によって画像データをミックス再生またはトラック再生する。したがって、再生装置１１０の動作は、図７に示すフローチャートに従って実行される。
【０１６４】
その結果、対象とするデータが画像データである場合も、運転者２０が飽きる度合を少なくでき、同じ画像を重複して見ることを少なくできる。
【０１６５】
また、この発明においては、対象とするデータは、音楽データおよび画像データに限らず、テキストデータ等であってもよく、一般的には、コンテンツデータであればよい。
さらに、上記においては、カーオーディオ１０は、ＨＤＤ部４、デジタルラジオ部６、ＭＰ３プレーヤ７およびｉＰｏｄ９を備えると説明したが、この発明においては、これに限らず、カーオーディオ１０は、ＭＰ３プレーヤ７またはｉＰｏｄ９に代えてＨＤＤジュークボックスを備えていてもよい。このＨＤＤジュークボックスは、コンピュータを用いてＡＴＲＡＣ３またはＰＣＭのフォーマットでＣＤ等から音楽データを録音したものであり、歌手別およびジャンル別等に分けて多数の音楽データを記憶できる。
【０１６６】
さらに、上記においては、カーオーディオ１０は、ＨＤＤ部４、デジタルラジオ部６、ＭＰ３プレーヤ７およびｉＰｏｄ９を備えると説明したが、この発明においては、これに限らず、カーオーディオ１０は、ＨＤＤ部４と、デジタルラジオ部６、ＭＰ３プレーヤ７およびｉＰｏｄ９のうちの少なくとも１つとを備えていればよい。
【０１６７】
ＨＤＤ部４と、デジタルラジオ部６、ＭＰ３プレーヤ７およびｉＰｏｄ９のうちの少なくとも１つとを備えていれば、自動車１００の車内において入力された音楽データをＨＤＤ部４によって記憶し、自動車１００の外部から供給された音楽データをデジタルラジオ部６、ＭＰ３プレーヤ７およびｉＰｏｄ９のうちの少なくとも１つによって保持するとともに、その保持した音楽データを再生でき、運転者２０が飽きる度合を少なくでき、かつ、同じ曲が重複して再生される度合を少なくできるからである。
【０１６８】
同様の理由により、再生装置１１０は、ＨＤＤ部４と、デジタルテレビ放送受信部６０およびｉＰｏｄ９のうちの少なくとも１つとを備えていればよい。
【０１６９】
なお、この発明においては、ＨＤＤ部４は、「記憶媒体」を構成し、デコーダ５は、「再生器」を構成する。
【０１７０】
また、ＨＤＤジュークボックス、デジタルラジオ部６、ＭＰ３プレーヤ７およびｉＰｏｄ９は、「メディアユニット」を構成する。
【０１７１】
さらに、デジタルテレビ放送受信部６０およびｉＰｏｄ９は、「メディアユニット」を構成する。
【０１７２】
さらに、トラック再生は、「第１のモード」を構成し、ミックス再生は、「第２のモード」を構成する。
【０１７３】
さらに、トラック再生およびミックス再生のいずれが指示されているかを判定し、その判定結果に応じて、ＨＤＤ部４およびデコーダ５等の再生機器を制御するメインＣＰＵ３は、「制御手段」を構成する。
【０１７４】
さらに、ＰＤ  Ｉ／Ｆ部８は、「専用インターフェース」を構成する。
【０１７５】
さらに、デジタルラジオ部６またはデジタルテレビ放送受信部６０は、「第１のメディアユニット」を構成し、ＨＤＤジュークボックス、ＭＰ３プレーヤ７またはｉＰｏｄ９は、「第２のメディアユニット」を構成する。
【０１７６】
さらに、カーオーディオ１０は、「再生装置」を構成する。
【０１７７】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０１７８】
この発明は、ユーザが飽きることが少なく、同じ曲が重複して再生されることが少ない再生装置に適用される。また、この発明は、ユーザが飽きることが少なく、同じ曲が重複して再生されることが少ない再生装置を備える自動車に適用される。さらに、この発明は、ユーザが飽きることが少なく、同じ曲が重複して再生されることが少ない再生装置の動作をコンピュータに実行させるためのプログラムに適用される。
【図面の簡単な説明】
【０１７９】
【図１】この発明の実施の形態によるカーオーディオを備えた自動車を示す概略図である。
【図２】図１に示すカーオーディオの構成を示す概略ブロック図である。
【図３】図２に示す操作部の概略図である。
【図４】デジタルラジオ放送のデータ構成を示す図である。
【図５】ＭＰ３のデータ構成を示す図である。
【図６】ＨＤＤ部、ＭＰ３プレーヤおよびｉＰｏｄにおける音楽データの管理方式を示す図である。
【図７】図２に示すカーオーディオの全体動作を説明するためのフローチャートである。
【図８】画像データを複数の機器によって再生する再生装置の構成を示す図である。
【符号の説明】
【０１８０】
１，１４  表示部、２  操作部、３  メインＣＰＵ、４  ＨＤＤ部、５  デコーダ、６  デジタルラジオ部、７  ＭＰ３プレーヤ、８  ＰＤ  Ｉ／Ｆ部、９  ｉＰｏｄ、１０  カーオーディオ、１１  Ｅ−Ｖｏｌ部、１２  パワー部、１３  スピーカ、２０  運転者、２１〜３８  ボタン、４０  デジタルラジオ放送局、６０  デジタルテレビ放送受信部、１００  自動車、１０１  ハンドル、１１０  再生装置。
【図１】
2007026598.tif 000005
【図２】
2007026598.tif 000006
【図３】
2007026598.tif 000007
【図４】
2007026598.tif 000008
【図５】
2007026598.tif 000009
【図６】
2007026598.tif 000010
【図７】
2007026598.tif 000011
【図８】
2007026598.tif 000012